(57)【特許請求の範囲】
【請求項１】
画像読取部とタッチパネルと記憶部と制御部とを少なくとも備え、
上記記憶部は、
上記画像読取部にて読み取られた原稿の画像ファイルの保存場所に関する保存場所情報を記憶する保存場所情報記憶手段、
を備え、
上記制御部は、
上記保存場所を示す保存場所アイコン、および、上記画像ファイルを示す画像表示領域を上記タッチパネルに表示させる画像表示手段と、
上記タッチパネルを介して上記画像ファイルを選択する画像選択指示が入力された場合、上記保存場所アイコンを視認できるように上記画像表示領域を最小化したアイコンに変更表示させる表示態様変更手段と、
上記タッチパネルを介して上記保存場所アイコンを選択するアイコン選択指示が入力された場合、当該保存場所アイコンに対応する上記保存場所に、当該画像ファイルを格納する格納手段と、
を備えたことを特徴とする、画像読取装置。
【請求項２】
上記表示態様変更手段は、
上記タッチパネルを介して上記画像ファイルを選択する上記画像選択指示が入力された場合、上記画像表示領域を半透明表示させることを特徴とする、請求項１に記載の画像読取装置。
【請求項３】
上記表示態様変更手段は、
上記タッチパネルを介して上記画像ファイルを選択する上記画像選択指示が入力された場合、当該画像選択指示の上記タッチパネル上の入力位置に基づき、当該入力位置の上記保存場所アイコンの表示と重ならない位置に上記画像表示領域を移動させて表示させることを特徴とする、請求項１に記載の画像読取装置。
【請求項４】
上記格納手段は、
上記タッチパネルを介して上記保存場所アイコンを選択する上記アイコン選択指示が入力された場合、上記画像ファイルの上記保存場所を決定する保存場所決定手段と、
上記タッチパネルを介して上記画像ファイルに対する格納指示が入力された場合、上記保存場所決定手段により決定された上記保存場所に、当該画像ファイルを格納する画像格納手段と、
を更に備えたことを特徴とする、請求項１から３のいずれか一つに記載の画像読取装置。
【請求項５】
上記制御部は、
上記保存場所決定手段により決定された上記保存場所の下の階層にさらに別の上記保存場所が存在する場合、当該別の保存場所を示す上記保存場所アイコンを上記タッチパネルに表示させる階層表示手段、
を更に備えたことを特徴とする、請求項４に記載の画像読取装置。
【請求項６】
上記画像選択指示は、
上記画像ファイルに対する上記保存場所アイコン上へのドラッグ操作により指示することを特徴とする、請求項１から５のいずれか一つに記載の画像読取装置。
【請求項７】
上記アイコン選択指示は、
上記画像ファイルに対する上記保存場所アイコン上での選択保持操作により指示することを特徴とする、請求項１から６のいずれか一つに記載の画像読取装置。
【請求項８】
上記格納指示は、
上記画像ファイルに対する上記保存場所アイコン上でのドロップ操作により指示することを特徴とする、請求項４から７のいずれか一つに記載の画像読取装置。
【請求項９】
上記画像表示手段は、
上記タッチパネルを介して上記画像ファイルを他の上記画像ファイル上へ重畳させる重畳指示が入力された場合、上記保存場所アイコン、および、当該画像ファイル同士を集約表示した上記画像表示領域を上記タッチパネルに表示させることを特徴とする、請求項１から８のいずれか一つに記載の画像読取装置。
【請求項１０】
上記画像表示手段は、
上記タッチパネルを介して一覧表示された上記画像ファイルを集約表示させる集約表示指示が入力された場合、上記保存場所アイコン、および、当該一覧表示された当該画像ファイルを集約表示した画像表示領域を上記タッチパネルに表示させることを特徴とする、請求項１から９のいずれか一つに記載の画像読取装置。
【請求項１１】
上記画像表示手段は、
上記タッチパネルを介して集約表示された上記画像ファイルを一覧表示させる一覧表示指示が入力された場合、上記保存場所アイコン、および、当該集約表示された当該画像ファイルを一覧表示した画像表示領域を上記タッチパネルに表示させることを特徴とする、請求項１から１０のいずれか一つに記載の画像読取装置。
【請求項１２】
画像読取装置に接続され、タッチパネルと記憶部と制御部とを少なくとも備え、
上記記憶部は、
上記画像読取装置にて読み取られた原稿の画像ファイルの保存場所に関する保存場所情報を記憶する保存場所情報記憶手段、
を備え、
上記制御部は、
上記保存場所を示す保存場所アイコン、および、上記画像ファイルを示す画像表示領域を上記タッチパネルに表示させる画像表示手段と、
上記タッチパネルを介して上記画像ファイルを選択する画像選択指示が入力された場合、上記保存場所アイコンを視認できるように上記画像表示領域を最小化したアイコンに変更表示させる表示態様変更手段と、
上記タッチパネルを介して上記保存場所アイコンを選択するアイコン選択指示が入力された場合、当該保存場所アイコンに対応する上記保存場所に、当該画像ファイルを格納する格納手段と、
を備えたことを特徴とする、情報処理装置。
【請求項１３】
画像読取部とタッチパネルと記憶部と制御部とを少なくとも備えた画像読取装置の上記記憶部は、
上記画像読取部にて読み取られた原稿の画像ファイルの保存場所に関する保存場所情報を記憶する保存場所情報記憶手段、
を備え、
上記制御部において実行される、
上記保存場所を示す保存場所アイコン、および、上記画像ファイルを示す画像表示領域を上記タッチパネルに表示させる画像表示ステップと、
上記タッチパネルを介して上記画像ファイルを選択する画像選択指示が入力された場合、上記保存場所アイコンを視認できるように上記画像表示領域を最小化したアイコンに変更表示させる表示態様変更ステップと、
上記タッチパネルを介して上記保存場所アイコンを選択するアイコン選択指示が入力された場合、当該保存場所アイコンに対応する上記保存場所に、当該画像ファイルを格納する格納ステップと、
を含むことを特徴とする、画像処理方法。
【請求項１４】
画像読取装置に接続された、タッチパネルと記憶部と制御部とを少なくとも備えた情報処理装置の上記記憶部は、
上記画像読取装置にて読み取られた原稿の画像ファイルの保存場所に関する保存場所情報を記憶する保存場所情報記憶手段、
を備え、
上記制御部において実行される、
上記保存場所を示す保存場所アイコン、および、上記画像ファイルを示す画像表示領域を上記タッチパネルに表示させる画像表示ステップと、
上記タッチパネルを介して上記画像ファイルを選択する画像選択指示が入力された場合、上記保存場所アイコンを視認できるように上記画像表示領域を最小化したアイコンに変更表示させる表示態様変更ステップと、
上記タッチパネルを介して上記保存場所アイコンを選択するアイコン選択指示が入力された場合、当該保存場所アイコンに対応する上記保存場所に、当該画像ファイルを格納する格納ステップと、
を含むことを特徴とする、画像処理方法。
【請求項１５】
画像読取部とタッチパネルと記憶部と制御部とを少なくとも備えた画像読取装置の上記記憶部は、
上記画像読取部にて読み取られた原稿の画像ファイルの保存場所に関する保存場所情報を記憶する保存場所情報記憶手段、
を備え、
上記制御部において、
上記保存場所を示す保存場所アイコン、および、上記画像ファイルを示す画像表示領域を上記タッチパネルに表示させる画像表示ステップと、
上記タッチパネルを介して上記画像ファイルを選択する画像選択指示が入力された場合、上記保存場所アイコンを視認できるように上記画像表示領域を最小化したアイコンに変更表示させる表示態様変更ステップと、
上記タッチパネルを介して上記保存場所アイコンを選択するアイコン選択指示が入力された場合、当該保存場所アイコンに対応する上記保存場所に、当該画像ファイルを格納する格納ステップと、
を実行させるためのプログラム。
【請求項１６】
画像読取装置に接続された、タッチパネルと記憶部と制御部とを少なくとも備えた情報処理装置の上記記憶部は、
上記画像読取装置にて読み取られた原稿の画像ファイルの保存場所に関する保存場所情報を記憶する保存場所情報記憶手段、
を備え、
上記制御部において、
上記保存場所を示す保存場所アイコン、および、上記画像ファイルを示す画像表示領域を上記タッチパネルに表示させる画像表示ステップと、
上記タッチパネルを介して上記画像ファイルを選択する画像選択指示が入力された場合、上記保存場所アイコンを視認できるように上記画像表示領域を最小化したアイコンに変更表示させる表示態様変更ステップと、
上記タッチパネルを介して上記保存場所アイコンを選択するアイコン選択指示が入力された場合、当該保存場所アイコンに対応する上記保存場所に、当該画像ファイルを格納する格納ステップと、
を実行させるためのプログラム。
【発明の詳細な説明】
【技術分野】
【０００１】
本発明は、画像読取装置、情報処理装置、画像処理方法、および、プログラムに関する。
【背景技術】
【０００２】
従来の画像処理装置においては、読取画像を表示し、ユーザによるドラッグアンドドロップ等のタッチ操作により編集領域や格納先に当該読取画像を移動させている。
【０００３】
例えば、特許文献１に記載の原稿読取装置では、読取画像と編集領域や格納先を並べてレイアウトしてタッチパネルの表示領域に表示させている。そして、当該原稿読取装置では、タッチパネル上でユーザにより読取画像を示すアイコンを編集用領域にドラッグアンドドロップさせることで、印刷設定や画像保存等をする技術が開示されている。
【０００４】
また、特許文献２に記載のネットワークスキャナ装置では、読取データの画像データ処理条件（ファイルフォーマットおよび解像度など）、宛先、および、ファイル名等をタッチパネルから構成される操作パネル上のアイコンやタッチキーを使って入力する技術が開示されている。
【０００５】
また、特許文献３に記載の原稿読取装置では、画像読取部にて読み取った原稿の画像の縮小画像を表示部に所定数一覧表示し、ユーザに再読み取りさせる原稿を選択させ、再読み取りした原稿の画像を、先に読み取った画像上にずらした状態で重畳表示させる技術が開示されている。
【０００６】
また、特許文献４に記載の電子ドキュメント処理装置では、検索された電子ドキュメントをタイル表示し、ユーザによりＧＵＩを介して当該電子ドキュメントを並列表示されたバインダにドラッグアンドドロップさせて追加させることにより、バインダドキュメントを生成する技術が開示されている。また、当該電子ドキュメント処理装置では、更に、電子ドキュメントをバインダドキュメントと同一のフォーマットに変換することにより、バインダドキュメントを適切に保存、印刷、閲覧、および管理等させる技術が開示されている。
【先行技術文献】
【特許文献】
【０００７】
【特許文献１】特開２００８−２３６５３９号公報
【特許文献２】特許第４２７２０１５号公報
【特許文献３】特開２００８−３０１５０２号公報
【特許文献４】特開２００７−４２０９２号公報
【発明の概要】
【発明が解決しようとする課題】
【０００８】
しかしながら、特許文献１、３および４に記載の従来の画像処理装置においては、サムネイル画像を表示するウィンドウと、格納先等の画像の処理を規定するアイコン一覧を表示するウィンドウとが横並び等で表示されるため、タッチパネル画面が小さい場合、表示できる情報が少なくなり操作性が悪くなるという問題点を有していた。
【０００９】
また、特許文献２に記載の従来の画像処理装置においては、画像に対する処理を指定する場合、表示が全く別の画面に切り替わったり、元の画面を覆い隠すようにポップアップ表示されてしまったりするため、ユーザが直感的かつ連続的な操作ができなくなるという問題点を有していた。
【００１０】
本発明は、上記問題点に鑑みてなされたもので、スキャナ等で読み取った画像をタッチパネル上で直感的かつ簡単に編集し、指定した格納先へ登録することができる画像読取装置、情報処理装置、画像処理方法、および、プログラムを提供することを目的とする。
【課題を解決するための手段】
【００１１】
このような目的を達成するため、本発明の画像読取装置は、画像読取部とタッチパネルと記憶部と制御部とを少なくとも備え、上記記憶部は、上記画像読取部にて読み取られた原稿の画像ファイルの保存場所に関する保存場所情報を記憶する保存場所情報記憶手段、を備え、上記制御部は、上記保存場所を示す保存場所アイコン、および、上記画像ファイルを示す画像表示領域を上記タッチパネルに表示させる画像表示手段と、上記タッチパネルを介して上記画像ファイルを選択する画像選択指示が入力された場合、上記保存場所アイコンを視認できるように上記画像表示領域の表示態様を変更する表示態様変更手段と、上記タッチパネルを介して上記保存場所アイコンを選択するアイコン選択指示が入力された場合、当該保存場所アイコンに対応する上記保存場所に、当該画像ファイルを格納する格納手段と、を備えたことを特徴とする。
【００１２】
また、本発明の画像読取装置は、上記記載の画像読取装置において、上記表示態様変更手段は、上記タッチパネルを介して上記画像ファイルを選択する上記画像選択指示が入力された場合、上記画像表示領域を半透明表示させることを特徴とする。
【００１３】
また、本発明の画像読取装置は、上記記載の画像読取装置において、上記表示態様変更手段は、上記タッチパネルを介して上記画像ファイルを選択する上記画像選択指示が入力された場合、当該画像選択指示の上記タッチパネル上の入力位置に基づき、当該入力位置の上記保存場所アイコンの表示と重ならない位置に上記画像表示領域を移動させて表示させることを特徴とする。
【００１４】
また、本発明の画像読取装置は、上記記載の画像読取装置において、上記表示態様変更手段は、上記タッチパネルを介して上記画像ファイルを選択する上記画像選択指示が入力された場合、上記画像表示領域を最小化したアイコンに変更表示させることを特徴とする。
【００１５】
また、本発明の画像読取装置は、上記記載の画像読取装置において、上記格納手段は、上記タッチパネルを介して上記保存場所アイコンを選択する上記アイコン選択指示が入力された場合、上記画像ファイルの上記保存場所を決定する保存場所決定手段と、上記タッチパネルを介して上記画像ファイルに対する格納指示が入力された場合、上記保存場所決定手段により決定された上記保存場所に、当該画像ファイルを格納する画像格納手段と、を更に備えたことを特徴とする。
【００１６】
また、本発明の画像読取装置は、上記記載の画像読取装置において、上記制御部は、上記保存場所決定手段により決定された上記保存場所の下の階層にさらに別の上記保存場所が存在する場合、当該別の保存場所を示す上記保存場所アイコンを上記タッチパネルに表示させる階層表示手段、を更に備えたことを特徴とする。
【００１７】
また、本発明の画像読取装置は、上記記載の画像読取装置において、上記画像選択指示は、上記画像ファイルに対する上記保存場所アイコン上へのドラッグ操作により指示することを特徴とする。
【００１８】
また、本発明の画像読取装置は、上記記載の画像読取装置において、上記アイコン選択指示は、上記画像ファイルに対する上記保存場所アイコン上での選択保持操作により指示することを特徴とする。
【００１９】
また、本発明の画像読取装置は、上記記載の画像読取装置において、上記格納指示は、上記画像ファイルに対する上記保存場所アイコン上でのドロップ操作により指示することを特徴とする。
【００２０】
また、本発明の画像読取装置は、上記記載の画像読取装置において、上記画像表示手段は、上記タッチパネルを介して上記画像ファイルを他の上記画像ファイル上へ重畳させる重畳指示が入力された場合、上記保存場所アイコン、および、当該画像ファイル同士を集約表示した上記画像表示領域を上記タッチパネルに表示させることを特徴とする。
【００２１】
また、本発明の画像読取装置は、上記記載の画像読取装置において、上記画像表示手段は、上記タッチパネルを介して一覧表示された上記画像ファイルを集約表示させる集約表示指示が入力された場合、上記保存場所アイコン、および、当該一覧表示された当該画像ファイルを集約表示した画像表示領域を上記タッチパネルに表示させることを特徴とする。
【００２２】
また、本発明の画像読取装置は、上記記載の画像読取装置において、上記画像表示手段は、上記タッチパネルを介して集約表示された上記画像ファイルを一覧表示させる一覧表示指示が入力された場合、上記保存場所アイコン、および、当該集約表示された当該画像ファイルを一覧表示した画像表示領域を上記タッチパネルに表示させることを特徴とする。
【００２３】
また、本発明の情報処理装置は、画像読取装置に接続され、タッチパネルと記憶部と制御部とを少なくとも備え、上記記憶部は、上記画像読取装置にて読み取られた原稿の画像ファイルの保存場所に関する保存場所情報を記憶する保存場所情報記憶手段、を備え、上記制御部は、上記保存場所を示す保存場所アイコン、および、上記画像ファイルを示す画像表示領域を上記タッチパネルに表示させる画像表示手段と、上記タッチパネルを介して上記画像ファイルを選択する画像選択指示が入力された場合、上記保存場所アイコンを視認できるように上記画像表示領域の表示態様を変更する表示態様変更手段と、上記タッチパネルを介して上記保存場所アイコンを選択するアイコン選択指示が入力された場合、当該保存場所アイコンに対応する上記保存場所に、当該画像ファイルを格納する格納手段と、を備えたことを特徴とする。
【００２４】
また、本発明の画像処理方法は、画像読取部とタッチパネルと記憶部と制御部とを少なくとも備えた画像読取装置の上記記憶部は、上記画像読取部にて読み取られた原稿の画像ファイルの保存場所に関する保存場所情報を記憶する保存場所情報記憶手段、を備え、上記制御部において実行される、上記保存場所を示す保存場所アイコン、および、上記画像ファイルを示す画像表示領域を上記タッチパネルに表示させる画像表示ステップと、上記タッチパネルを介して上記画像ファイルを選択する画像選択指示が入力された場合、上記保存場所アイコンを視認できるように上記画像表示領域の表示態様を変更する表示態様変更ステップと、上記タッチパネルを介して上記保存場所アイコンを選択するアイコン選択指示が入力された場合、当該保存場所アイコンに対応する上記保存場所に、当該画像ファイルを格納する格納ステップと、を含むことを特徴とする。
【００２５】
また、本発明の画像処理方法は、画像読取装置に接続された、タッチパネルと記憶部と制御部とを少なくとも備えた情報処理装置の上記記憶部は、上記画像読取装置にて読み取られた原稿の画像ファイルの保存場所に関する保存場所情報を記憶する保存場所情報記憶手段、を備え、上記制御部において実行される、上記保存場所を示す保存場所アイコン、および、上記画像ファイルを示す画像表示領域を上記タッチパネルに表示させる画像表示ステップと、上記タッチパネルを介して上記画像ファイルを選択する画像選択指示が入力された場合、上記保存場所アイコンを視認できるように上記画像表示領域の表示態様を変更する表示態様変更ステップと、上記タッチパネルを介して上記保存場所アイコンを選択するアイコン選択指示が入力された場合、当該保存場所アイコンに対応する上記保存場所に、当該画像ファイルを格納する格納ステップと、を含むことを特徴とする。
【００２６】
また、本発明のプログラムは、画像読取部とタッチパネルと記憶部と制御部とを少なくとも備えた画像読取装置の上記記憶部は、上記画像読取部にて読み取られた原稿の画像ファイルの保存場所に関する保存場所情報を記憶する保存場所情報記憶手段、を備え、上記制御部において、上記保存場所を示す保存場所アイコン、および、上記画像ファイルを示す画像表示領域を上記タッチパネルに表示させる画像表示ステップと、上記タッチパネルを介して上記画像ファイルを選択する画像選択指示が入力された場合、上記保存場所アイコンを視認できるように上記画像表示領域の表示態様を変更する表示態様変更ステップと、上記タッチパネルを介して上記保存場所アイコンを選択するアイコン選択指示が入力された場合、当該保存場所アイコンに対応する上記保存場所に、当該画像ファイルを格納する格納ステップと、を実行させる。
【００２７】
また、本発明のプログラムは、画像読取装置に接続された、タッチパネルと記憶部と制御部とを少なくとも備えた情報処理装置の上記記憶部は、上記画像読取装置にて読み取られた原稿の画像ファイルの保存場所に関する保存場所情報を記憶する保存場所情報記憶手段、を備え、上記制御部において、上記保存場所を示す保存場所アイコン、および、上記画像ファイルを示す画像表示領域を上記タッチパネルに表示させる画像表示ステップと、上記タッチパネルを介して上記画像ファイルを選択する画像選択指示が入力された場合、上記保存場所アイコンを視認できるように上記画像表示領域の表示態様を変更する表示態様変更ステップと、上記タッチパネルを介して上記保存場所アイコンを選択するアイコン選択指示が入力された場合、当該保存場所アイコンに対応する上記保存場所に、当該画像ファイルを格納する格納ステップと、を実行させる。
【発明の効果】
【００２８】
この発明によれば、保存場所を示す保存場所アイコン、および、画像ファイルを示す画像表示領域をタッチパネルに表示させ、タッチパネルを介して画像ファイルを選択する画像選択指示が入力された場合、保存場所アイコンを視認できるように画像表示領域の表示態様を変更し、タッチパネルを介して保存場所アイコンを選択するアイコン選択指示が入力された場合、当該保存場所アイコンに対応する保存場所に、当該画像ファイルを格納するので、スキャンした画像を直感的かつ簡単に意図した格納先に保存することができるという効果を奏する。
【００２９】
また、この発明によれば、タッチパネルを介して画像ファイルを選択する画像選択指示が入力された場合、画像表示領域を半透明表示させるので、保存場所アイコンよりも作業ウィンドウ等の画像表示領域の方が小さいが、画像表示領域が重なっている部分の保存場所アイコンが見えない場合でも、画像表示領域が半透明となるため、背景の保存場所アイコンが見えるようになり選択可能状態になるという効果を奏する。
【００３０】
また、この発明によれば、タッチパネルを介して画像ファイルを選択する画像選択指示が入力された場合、当該画像選択指示のタッチパネル上の入力位置に基づき、当該入力位置の保存場所アイコンの表示と重ならない位置に画像表示領域を移動させて表示させるので、ユーザが画像ファイルを指でタッチして背景の保存場所アイコンにドラッグすると、画像表示領域が上下左右いずれかの位置に移動し、背景の格納先画面が見えるようになり選択可能状態になるという効果を奏する。
【００３１】
また、この発明によれば、タッチパネルを介して画像ファイルを選択する画像選択指示が入力された場合、画像表示領域を最小化したアイコンに変更表示させるので、画像表示領域の重畳表示によって隠れていた部分も含めて保存場所アイコンが全て見えるようになり選択可能状態となるという効果を奏する。
【００３２】
また、この発明によれば、タッチパネルを介して保存場所アイコンを選択するアイコン選択指示が入力された場合、画像ファイルの保存場所を決定し、タッチパネルを介して画像ファイルに対する格納指示が入力された場合、決定された保存場所に、当該画像ファイルを格納するので、より細かい格納処理を規定することができるという効果を奏する。
【００３３】
また、この発明によれば、決定された保存場所の下の階層にさらに別の保存場所が存在する場合、当該別の保存場所を示す保存場所アイコンをタッチパネルに表示させるので、記憶領域に多段階の階層構造からなる複数のフォルダが生成されている場合に、タッチパネル上での直感的な操作だけで階層構造の下のフォルダも格納先として選択することができるという効果を奏する。
【００３４】
また、この発明によれば、画像選択指示は、画像ファイルに対する保存場所アイコン上へのドラッグ操作により指示することであるので、タッチパネル上での直感的かつ簡単な操作だけで画像ファイルを選択することができるという効果を奏する。
【００３５】
また、この発明によれば、アイコン選択指示は、画像ファイルに対する保存場所アイコン上での選択保持操作により指示することであるので、タッチパネル上での直感的かつ簡単な操作だけで画像ファイルの格納先の選択ができるという効果を奏する。
【００３６】
また、この発明によれば、格納指示は、画像ファイルに対する保存場所アイコン上でのドロップ操作により指示することであるので、タッチパネル上での直感的かつ簡単な操作だけで画像ファイルの保存ができるという効果を奏する。
【００３７】
また、この発明によれば、タッチパネルを介して画像ファイルを他の画像ファイル上へ重畳させる重畳指示が入力された場合、保存場所アイコン、および、当該画像ファイル同士を集約表示した画像表示領域をタッチパネルに表示させるので、タッチパネル上で直感的かつ簡単に、紙の原稿を重ねる感覚でデータである画像ファイルを整理することができるという効果を奏する。
【００３８】
また、この発明によれば、タッチパネルを介して一覧表示された画像ファイルを集約表示させる集約表示指示が入力された場合、保存場所アイコン、および、当該一覧表示された当該画像ファイルを集約表示した画像表示領域をタッチパネルに表示させるので、ボタン操作ひとつで表示形式の変更をすることができるという効果を奏する。
【００３９】
また、この発明によれば、タッチパネルを介して集約表示された画像ファイルを一覧表示させる一覧表示指示が入力された場合、保存場所アイコン、および、当該集約表示された当該画像ファイルを一覧表示した画像表示領域をタッチパネルに表示させるので、ボタン操作ひとつで表示形式の変更をすることができるという効果を奏する。
【図面の簡単な説明】
【００４０】
【図１】図１は、本実施の形態の基本原理を示すフローチャートである。
【図２】図２は、本実施の形態が適用される画像読取装置の構成の一例を示すブロック図である。
【図３】図３は、本実施の形態における画像読取装置の処理の一例を示すフローチャートである。
【図４】図４は、本実施形態における表示画面の一例を示す図である。
【図５】図５は、本実施形態における表示画面の一例を示す図である。
【図６】図６は、本実施形態における表示画面の一例を示す図である。
【図７】図７は、本実施形態における表示画面の一例を示す図である。
【図８】図８は、本実施形態における表示画面の一例を示す図である。
【図９】図９は、本実施形態における表示画面の一例を示す図である。
【発明を実施するための形態】
【００４１】
以下に、本発明にかかる画像読取装置、情報処理装置、画像処理方法、および、プログラムの実施の形態を図面に基づいて詳細に説明する。なお、この実施の形態によりこの発明が限定されるものではない。
【００４２】
［本発明の実施の形態の概要］
以下、本発明の実施の形態の概要について図１を参照して説明し、その後、本実施の形態の構成および処理等について詳細に説明する。図１は、本実施の形態の基本原理を示すフローチャートである。
【００４３】
本実施の形態は、概略的に、以下の基本的特徴を有する。すなわち、本実施の形態の画像読取装置の制御部は、図１に示すように、画像読取部にて読み取られた原稿の画像ファイルを取得する（ステップＳＡ−１）。
【００４４】
そして、本画像読取装置の制御部は、記憶部に記憶された保存場所を示す保存場所アイコン、および、ステップＳＡ−１にて取得した画像ファイルを示す画像表示領域をタッチパネルに表示させる（ステップＳＡ−２）。
【００４５】
そして、本画像読取装置の制御部は、タッチパネルを介して画像ファイルを選択する画像選択指示がユーザにより入力された場合、保存場所アイコンを視認できるように画像表示領域の表示態様を変更する（ステップＳＡ−３）。
【００４６】
そして、本画像読取装置の制御部は、タッチパネルを介して保存場所アイコンを選択するアイコン選択指示がユーザにより入力された場合、記憶部に記憶された当該保存場所アイコンに対応する保存場所に、当該画像ファイルを格納する（ステップＳＡ−４）。
【００４７】
以上で、本発明の実施の形態の概要の説明を終える。
【００４８】
［画像読取装置の構成］
次に、本画像読取装置の構成について図２を参照して説明する。図２は、本実施の形態が適用される画像読取装置の構成の一例を示すブロック図であり、該構成のうち本実施の形態に関係する部分のみを概念的に示している。
【００４９】
図２において画像読取装置１００は、概略的に、制御部１０２と入出力制御インターフェース部１０８と記憶部１０６と画像読取部１１２とタッチパネル１１４とを備える。ここで、制御部１０２は、画像読取装置１００の全体を統括的に制御するＣＰＵ等である。また、入出力制御インターフェース部１０８は、画像読取部１１２およびタッチパネル１１４に接続されるインターフェースである。また、記憶部１０６は、各種のデータベースやテーブルなどを格納する装置である。これら画像読取装置１００の各部は任意の通信路を介して通信可能に接続されている。更に、この画像読取装置１００は、ルータ等の通信装置および専用線等の有線または無線の通信回線を介して、ネットワークに通信可能に接続されていてもよい。
【００５０】
記憶部１０６に格納される各種のデータベースやテーブル（保存場所情報記憶部１０６ａ）は、固定ディスク装置等のストレージ手段である。例えば、記憶部１０６は、各種処理に用いる各種のプログラム、テーブル、ファイル、データベース、および、ウェブページ等を格納する。
【００５１】
これら記憶部１０６の各構成要素のうち、保存場所情報記憶部１０６ａは、画像読取部１１２にて読み取られた原稿の画像ファイルの保存場所に関する保存場所情報を記憶する保存場所情報記憶手段である。ここで、保存場所とは、コンピュータ上でファイル等のデータを分類および整理するための場所であり、例えば、キャビネット、ドロア、バインダ、フォルダ、および、ディレクトリ等であってもよい。
【００５２】
なお、本実施の形態が適用される情報処理装置の記憶部には、画像読取装置１００にて読み取られた原稿の画像ファイルの保存場所が設定されている。
【００５３】
また、図２において、入出力制御インターフェース部１０８は、画像読取部１１２やタッチパネル１１４の制御を行う。ここで、画像読取部１１２としては、スキャナ、デジタルカメラ、および、ＷＥＢカメラ等を用いることができる。
【００５４】
また、図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、画像表示部１０２ａ、表示態様変更部１０２ｂ、格納部１０２ｃ、および、階層表示部１０２ｆを備える。
【００５５】
このうち、画像表示部１０２ａは、保存場所を示す保存場所アイコン、および、画像ファイルを示す画像表示領域をタッチパネル１１４に表示させる画像表示手段である。ここで、画像表示部１０２ａは、タッチパネル１１４を介して画像ファイルを他の画像ファイル上へ重畳させる重畳指示が入力された場合、保存場所アイコン、および、当該画像ファイル同士を集約表示した画像表示領域をタッチパネル１１４に表示させてもよい。ここで、重畳指示は、タッチパネル１１４に表示された画像ファイルを他の画像ファイル上へドラッグアンドドロップ操作をすることにより指示することであってもよい。また、画像表示部１０２ａは、タッチパネル１１４を介して一覧表示された画像ファイルを集約表示させる集約表示指示が入力された場合、保存場所アイコン、および、当該一覧表示された当該画像ファイルを集約表示した画像表示領域をタッチパネル１１４に表示させてもよい。ここで、集約表示指示は、タッチパネル１１４に表示された集約表示指示を示す集約表示指示アイコンをタップ操作等の選択操作をすることにより指示することであってもよい。また、画像表示部１０２ａは、タッチパネル１１４を介して集約表示された画像ファイルを一覧表示させる一覧表示指示が入力された場合、保存場所アイコン、および、当該集約表示された当該画像ファイルを一覧表示した画像表示領域をタッチパネル１１４に表示させてもよい。ここで、一覧表示指示は、タッチパネル１１４に表示された一覧表示指示を示す一覧表示指示アイコンをタップ操作等の選択操作をすることにより指示することであってもよい。また、画像表示部１０２ａは、例えば、保存場所を示す保存場所アイコン上に、画像ファイルを示す指標画像（例えば、サムネイル、縮小画像、ファイル名およびアイコンなど）を表示した画像表示領域を重畳してタッチパネル１１４に表示させてもよい。
【００５６】
また、表示態様変更部１０２ｂは、タッチパネル１１４を介して画像ファイルを選択する画像選択指示が入力された場合、保存場所アイコンを視認できるように画像表示領域の表示態様を変更する表示態様変更手段である。ここで、画像選択指示は、画像ファイルに対する保存場所アイコン上へのドラッグ操作等により指示することであってもよい。また、表示態様変更部１０２ｂは、タッチパネル１１４を介して画像ファイルを選択する画像選択指示が入力された場合、画像表示領域を半透明表示させてもよい。また、表示態様変更部１０２ｂは、タッチパネル１１４を介して画像ファイルを選択する画像選択指示が入力された場合、当該画像選択指示のタッチパネル１１４上の入力位置に基づき、当該入力位置の保存場所アイコンの表示と重ならない位置に画像表示領域を移動させて表示させてもよい。また、表示態様変更部１０２ｂは、タッチパネル１１４を介して画像ファイルを選択する画像選択指示が入力された場合、画像表示領域を最小化したアイコンに変更表示させてもよい。
【００５７】
また、格納部１０２ｃは、タッチパネル１１４を介して保存場所アイコンを選択するアイコン選択指示が入力された場合、当該保存場所アイコンに対応する保存場所に、当該画像ファイルを格納する格納手段である。ここで、アイコン選択指示は、画像ファイルに対する保存場所アイコン上での選択保持操作により指示することであってもよい。また、格納部１０２ｃは、図２に示すように、保存場所決定部１０２ｄ、および、画像格納部１０２ｅを少なくとも備える。
【００５８】
ここで、保存場所決定部１０２ｄは、タッチパネル１１４を介して保存場所アイコンを選択するアイコン選択指示が入力された場合、画像ファイルの保存場所を決定する保存場所決定手段である。また、画像格納部１０２ｅは、タッチパネル１１４を介して画像ファイルに対する格納指示が入力された場合、保存場所決定部１０２ｄにより決定された保存場所に、当該画像ファイルを格納する画像格納手段である。ここで、格納指示は、画像ファイルに対する保存場所アイコン上でのドロップ操作により指示することであってもよい。
【００５９】
また、階層表示部１０２ｆは、保存場所決定部１０２ｄにより決定された保存場所の下の階層にさらに別の保存場所が存在する場合、当該別の保存場所を示す保存場所アイコンをタッチパネル１１４に表示させる階層表示手段である。
【００６０】
以上で、本画像読取装置１００の構成の説明を終える。
【００６１】
［画像読取装置１００の処理］
次に、このように構成された本実施の形態における本画像読取装置１００の処理の一例について、以下に図３乃至図８を参照して詳細に説明する。図３は、本実施の形態における画像読取装置１００の処理の一例を示すフローチャートである。
【００６２】
図３に示すように、画像表示部１０２ａは、画像読取部１１２にて読み取られた原稿の画像ファイルの格納先である、保存場所情報記憶部１０６ａに記憶された保存場所（ドロア）を示す保存場所アイコンの一覧（ドロアアイコン１）をタッチパネル１１４に表示させる（ステップＳＢ−１）。
【００６３】
ここで、図４を参照して、本実施の形態におけるタッチパネル１１４に表示される保存場所アイコンの一例について説明する。図４は、本実施形態における表示画面の一例を示す図である。
【００６４】
図４に示すように、画像表示部１０２ａは、スキャンした画像を仕分けして格納できるように保存場所情報記憶部１０６ａに設定された物理的格納庫をイメージ化した背景をタッチパネル１１４に表示させている。ここで、物理的格納庫をイメージ化した背景は、ドロア（引き出し）およびバインダ等であってもよい。具体的には、画像表示部１０２ａは、タッチパネル１１４に縦横３列合計９つのドロア(引き出し)をイメージにしたドロアアイコン１（ドロア＿０１乃至ドロア＿０９）を表示している。
【００６５】
図３に戻り、制御部１０２は、画像読取部１１２にてスキャンされた原稿の画像ファイルを取り込む（ステップＳＢ−２）。
【００６６】
そして、画像表示部１０２ａは、ドロアアイコン１上に、画像読取部１１２にてスキャンされた原稿の画像ファイルを示す画像表示領域（作業ウィンドウ２）を重ねてタッチパネル１１４に表示させる（ステップＳＢ−３）。
【００６７】
ここで、図５から図７を参照して、本実施の形態におけるタッチパネル１１４に表示される作業ウィンドウ２の一例について説明する。図５乃至図７は、本実施形態における表示画面の一例を示す図である。
【００６８】
図５に示すように、画像表示部１０２ａは、ドロアアイコン１上に、作業ウィンドウ２を表示させ、そこに画像読取部１１２にてスキャンした複数枚の画像ファイルを、重ねたイメージで集約表示させている。ここで、図５に示すように、作業ウィンドウ２上には、画像ファイルを一覧表示させる一覧表示指示アイコン２１、最前面に表示される画像ファイルを他の画像ファイルの表示に変更させる表示変更アイコン２２、画像ファイルを消去するゴミ箱アイコン２３、画像ファイルを回転させる回転アイコン２４、および、作業ウィンドウ２を閉じる閉アイコン２５等が表示されている。
【００６９】
そして、画像表示部１０２ａは、タッチパネル１１４を介して作業ウィンドウ２上に表示された一覧表示指示アイコン２１がユーザ（の指）によりタップ操作された場合、画像読取部１１２にてスキャンした画像ファイルの一覧表示指示を検知する。そして、画像表示部１０２ａは、図６に示すように、ドロアアイコン１上に、当該画像ファイルのサムネイルをタイル状に一覧表示した作業ウィンドウ２を表示させる。ここで、図６に示すように、作業ウィンドウ２上には、更に、画像ファイルを集約表示させる集約表示指示アイコン２０、および、スクロールバーが表示されている。
【００７０】
また、図６に示すように、画像表示部１０２ａは、タッチパネル１１４を介してタッチパネル１１４に表示された集約表示指示アイコン２０がユーザ（の指）によりタップ操作された場合、画像ファイルの集約表示指示を検知する。そして、画像表示部１０２ａは、図５に示すように、ドロアアイコン１上に、当該画像ファイルを集約表示した作業ウィンドウ２を表示させる。
【００７１】
また、図６に示すように、画像表示部１０２ａは、タッチパネル１１４を介してタッチパネル１１４に表示された画像ファイルのサムネイルが他のサムネイル上へユーザ（の指）によりドラッグアンドドロップ操作（図中の矢印）された場合、画像ファイルのサムネイルを重畳させる重畳指示を検知する。そして、画像表示部１０２ａは、図７に示すように、ドロアアイコン１上に、当該画像ファイルのサムネイル同士を集約表示した作業ウィンドウ２を表示させる。
【００７２】
図３に戻り、表示態様変更部１０２ｂは、タッチパネル１１４を介してユーザにより作業ウィンドウ２の画像ファイルを背景のドロアアイコン１上へそのまま移動させるドラッグ操作がされた場合、画像選択指示の入力を検知する（ステップＳＢ−４）。
【００７３】
そして、表示態様変更部１０２ｂは、ドロアアイコン１を視認できるように作業ウィンドウ２を非アクティブ（半透明表示）にする（ステップＳＢ−５）。ここで、表示態様変更部１０２ｂは、ドラッグ操作のタッチパネル１１４上の入力位置に基づき、当該入力位置のドロアアイコン１の表示と重ならない位置に作業ウィンドウ２を移動させて表示させてもよい。例えば、表示態様変更部１０２ｂは、ドロアアイコン１の選択の妨げにならない上下左右のいずれかの位置に作業ウィンドウ２を移動させ、ドロアアイコン１の選択後に作業ウィンドウ２を元の位置に戻してもよい。また、表示態様変更部１０２ｂは、作業ウィンドウ２を最小化したアイコンに変更表示させてもよい。
【００７４】
ここで、図８を参照して、本実施の形態におけるタッチパネル１１４に表示される作業ウィンドウ２を非アクティブ化の一例について説明する。図８は、本実施形態における表示画面の一例を示す図である。
【００７５】
図８に示すように、表示態様変更部１０２ｂは、タッチパネル１１４を介してユーザにより作業ウィンドウ２上のいずれかのサムネイルがタッチされ、背景のドロアアイコン１にドラッグ操作（図中の矢印）がされた場合、画像選択指示の入力を検知し、サムネイルを表示している作業ウィンドウ２を半透明表示させている。
【００７６】
図３に戻り、制御部１０２は、タッチパネル１１４を介したユーザによるドラッグ操作がされたドロアアイコン１を検知する（ステップＳＢ−６）。
【００７７】
そして、制御部１０２は、ステップＳＢ−６にて検知したドロアアイコン１上で、タッチパネル１１４を介したユーザによる画像ファイルに対する選択保持操作、すなわち、ドラッグ操作が一定時間保持されたか否か判定する（ステップＳＢ−７）。ここで、選択保持操作は、例えば、格納先として選択した一つのドロアアイコン１の上で指をそのまま離さずにしておく操作であってもよい。
【００７８】
そして、制御部１０２は、ステップＳＢ−７にてタッチパネル１１４を介したユーザにより画像ファイルに対する選択保持操作がされていないと判定した場合（ステップＳＢ−７：Ｎｏ）、処理をステップＳＢ−３へ移行させる。
【００７９】
一方、保存場所決定部１０２ｄは、ステップＳＢ−７にて制御部１０２によりタッチパネル１１４を介したユーザにより画像ファイルに対する選択保持操作がされていると判定された場合（ステップＳＢ−７：Ｙｅｓ）、画像ファイルの保存場所情報記憶部１０６ａに記憶された保存場所（ドロア）を決定する（ステップＳＢ−８）。
【００８０】
そして、階層表示部１０２ｆは、保存場所決定部１０２ｄにより決定された保存場所（ドロア）の下の階層にさらに別の保存場所情報記憶部１０６ａに記憶された保存場所が存在する場合、当該別の保存場所を示すドロアの中身（フォルダ）を示すフォルダアイコン３をタッチパネル１１４に表示させる（ステップＳＢ−９）。
【００８１】
ここで、図９を参照して、本実施の形態におけるタッチパネル１１４に表示される階層表示の一例について説明する。図９は、本実施形態における表示画面の一例を示す図である。
【００８２】
図９に示すように、階層表示部１０２ｆは、ドロアを開くイメージをタッチパネル１１４に表示させ、ドロアの中身（すなわち、下の階層を示すフォルダ）を表示させている。ここで、ドロアの中身はフォルダにより仕分けられており、指定のフォルダ（例えば、フォルダ＿０１等）に対応するフォルダアイコン３に指を移動させ、そこでドロップすると（図中の矢印）、そのフォルダに画像が保存されるようにしてもよい。ここで、図９において、フォルダアイコン３の中に表示させた書類の量（枚数）は、当該フォルダアイコン３に対応するフォルダに保存されているデータ量に比例させて表示させてもよい。なお、ドロアの一覧やドロアの中身が一画面に収まらない場合(例えば、ドロアが１０以上ある場合など)、指を画面の端に移動し保持すると、画面がスクロールするようにしてもよい。
【００８３】
図３に戻り、保存場所決定部１０２ｄは、タッチパネル１１４を介してユーザにより画像ファイルに対するフォルダアイコン３上へのドラッグ操作および選択保持操作がされた場合、フォルダアイコン３を選択するアイコン選択指示を検知し、画像ファイルの保存場所情報記憶部１０６ａに記憶された保存場所（フォルダ）を決定する。そして、画像格納部１０２ｅは、タッチパネル１１４を介してユーザにより当該フォルダアイコン３上で画像ファイルに対するドロップ操作がされた場合、当該画像ファイルに対する格納指示の入力を検知し、当該フォルダアイコン３に対応する保存場所決定部１０２ｄにより決定された保存場所（フォルダ）に、当該画像ファイルを格納（保存）する（ステップＳＢ−１０）。例えば、画像格納部１０２ｅは、タッチパネル１１４を介してユーザにより保存場所であるフォルダ上で指を離されて画像ファイルがドロップされると、当該画像ファイルを選択先のフォルダに保存する。ここで、複数の画像ファイルを格納する場合は、ユーザは、画像ファイル一つ一つを選択して、当該画像ファイルをフォルダアイコン３にドラッグアンドドロップすることで保存してもよい。また、ユーザは、作業ウィンドウ２上においてどれか一つの画像ファイルに他の画像ファイルを指でドラッグアンドドロップして重ね合わせ、その重ね合わせた画像ファイルを指でフォルダアイコン３にドラッグアンドドロップして保存するようにしてもよい。
【００８４】
そして、制御部１０２は、作業ウィンドウ２に画像ファイルが残っているか否か判定する（ステップＳＢ−１１）。
【００８５】
そして、制御部１０２は、ステップＳＢ−１１にて作業ウィンドウ２に画像ファイルが残っていると判定した場合（ステップＳＢ−１１：Ｙｅｓ）、処理をステップＳＢ−３に移行させる。すなわち、ユーザが画像ファイルをドロップして保存した後は、再度作業ウィンドウ２がアクティブ状態になり前面に表示され、ドラッグアンドドロップにより保存した画像ファイルは作業ウィンドウ２から無くなった状態で表示される。そして、作業ウィンドウ２上の画像が残っている限り作業ウィンドウ２は表示される。
【００８６】
一方、制御部１０２は、ステップＳＢ−１１にて作業ウィンドウ２に画像ファイルが残っていないと判定した場合（ステップＳＢ−１１：Ｎｏ）、作業ウィンドウ２の表示をタッチパネル１１４から消し（ステップＳＢ−１２）、処理を終了する。すなわち、すべての画像が作業ウィンドウ２から無くなった時、作業ウィンドウ２が表示されなくなる（消える）。
【００８７】
以上で、本画像読取装置１００の処理の説明を終える。
【００８８】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【００８９】
例えば、画像読取装置１００がスタンドアローンの形態で処理を行う場合を一例に説明したが、画像読取装置１００は、本実施の形態における情報処理装置（画像読取装置１００とは別筐体である）からの要求に応じて処理を行い、その処理結果を当該情報処理装置に返却するようにしてもよい。ここで、画像読取装置１００は、既知のパーソナルコンピュータ、ワークステーション等の情報処理装置に任意の周辺装置（例えば、イメージスキャナ等）を接続して構成してもよい。また、画像読取装置１００は、該情報処理装置に本発明の方法を実現させるソフトウェア（プログラム、データ等を含む）を実装することにより実現してもよい。
【００９０】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００９２】
また、画像読取装置１００に関して、図示の各構成要素は機能概念的なものであり、必ずしも物理的に図示の如く構成されていることを要しない。
【００９３】
例えば、画像読取装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて画像読取装置１００に機械的に読み取られる。すなわち、ＲＯＭまたはＨＤなどの記憶部１０６などには、各種処理を行うためのコンピュータプログラムが記録されている。このコンピュータプログラムは、ＲＡＭにロードされることによって実行され、ＣＰＵと協働して制御部を構成する。
【００９４】
また、このコンピュータプログラムは、情報処理装置および画像読取装置１００に対して任意のネットワークを介して接続されたアプリケーションプログラムサーバに記憶されていてもよく、必要に応じてその全部または一部をダウンロードすることも可能である。
【００９５】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【００９６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００９７】
記憶部１０６に格納される各種のデータベース等（保存場所情報記憶部１０６ａ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００９８】
また、情報処理装置は、既知のパーソナルコンピュータ、ワークステーション等として構成してもよい。また、情報処理装置は、任意の周辺装置を接続して構成してもよい。
【００９９】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１００】
以上詳述に説明したように、本発明によれば、スキャナ等で読み取った画像をタッチパネル上で直感的かつ簡単に編集し、指定した格納先へ登録することができる画像読取装置、情報処理装置、画像処理方法、および、プログラムを提供することができ、画像処理などの様々な分野において極めて有用である。
【符号の説明】
【０１０１】
１  ドロアアイコン
２  作業ウィンドウ
２０  集約表示指示アイコン
２１  一覧表示指示アイコン
２２  表示変更アイコン
２３  ゴミ箱アイコン
２４  回転アイコン
２５  閉アイコン
３  フォルダアイコン
１００  画像読取装置
１０２  制御部
１０２ａ  画像表示部
１０２ｂ  表示態様変更部
１０２ｃ  格納部
１０２ｄ  保存場所決定部
１０２ｅ  画像格納部
１０２ｆ  階層表示部
１０６  記憶部
１０６ａ  保存場所情報記憶部
１０８  入出力制御インターフェース部
１１２  画像読取部
１１４  タッチパネル
【図１】
0005592701.tif 000002
【図２】
0005592701.tif 000003
【図３】
0005592701.tif 000004
【図４】
0005592701.tif 000005
【図５】
0005592701.tif 000006
【図６】
0005592701.tif 000007
【図７】
0005592701.tif 000008
【図８】
0005592701.tif 000009
【図９】
0005592701.tif 000010